(57)【要約】【課題】新しい電柱を既設の電柱と同じ位置に建替える場合に、切断された電柱の柱本体部を一時的に支持する際に、少なくとも切断前と同じ高さ位置で支持できるようにすること。【解決手段】筒状の胴部と、胴部の下側開口端を塞ぐ底部とを備え、胴部は、周面の上部に電柱の入口となる開口窓部を有する胴体と、胴体の開口窓部を開閉可能に塞ぐ扉とを備え、開口窓部よりも下側において胴部の内側には砂利を収容可能な収容空間が形成されることを特徴とする電柱仮受具。【選択図】      図１
2014050200.tif 000002
【特許請求の範囲】
【請求項１】
筒状の胴部と、胴部の下側開口端を塞ぐ底部とを備え、
胴部は、周面の上部に電柱の入口となる開口窓部を有する胴体と、胴体の開口窓部を開閉可能に塞ぐ扉とを備え、
開口窓部よりも下側において胴部の内側には砂利を収容可能な収容空間が形成されることを特徴とする電柱仮受具。
【請求項２】
扉は、胴体の外側に配置されると共に、胴体に対して昇降可能に設けられていることを特徴とする請求項１に記載の電柱仮受具。
【請求項３】
胴部に対して底部を着脱可能に設けてあることを特徴とする請求項１又は２記載の電柱仮受具。
【請求項４】
胴部は、胴体に吊り上げ用のフックを備え、
底部は、底板と底板の外周に沿って起立する起立板とを備え、
起立板は、胴体の下端部に嵌合すると共に、胴体の下端部に対して軸部材で連結可能に設けられていることを特徴とする請求項３記載の電柱仮受具。
【請求項５】
胴体は、抜穴が形成された取付板を有し、取付板にはボルト・ナットが固定可能であることを特徴とする請求項１、２、３、４又は５記載の電柱仮受具。
【請求項６】
既設の電柱を切断した上で、切断された電柱の柱本体部を近傍に仮置きし、切断された電柱の柱埋設部を撤去し、その撤去箇所に新しい電柱を建て、切断された電柱の柱本体部から新しい電柱に架空線を移設し、切断された柱本体部を撤去する電柱建替工法において、
請求項１〜５の何れかに記載の電柱仮受具を既設の電柱の近傍に搬入する工程と、
扉を下げた状態の電柱仮受具の開口窓部から電柱仮受具の収容空間に砂利を充填する工程と、
切断された電柱の柱本体部を横に移動させながら扉を下げた状態の電柱仮受具の開口窓部から挿入して、砂利の上に載せる工程と、
扉を上げて開口窓部を塞ぎつつ胴体に対して扉を連結する工程とを有することを特徴とする電柱建替工法。
【請求項７】
既設の電柱を切断した上で、切断された電柱の柱本体部を近傍に仮置きし、切断された電柱の柱埋設部を撤去し、その撤去箇所に新しい電柱を建て、切断された電柱の柱本体部から新しい電柱に架空線を移設し、切断された電柱の柱本体部を撤去する電柱建替工法において、
請求項４に記載の電柱仮受具を既設の電柱の近傍に搬入する工程と、
扉を下げた状態の電柱仮受具の開口窓部から電柱仮受具の収容空間に砂利を充填する工程と、
切断された電柱の柱本体部を横に移動させながら扉を下げた状態の電柱仮受具の開口窓部から挿入して、砂利の上に載せる工程と、
扉を上げて開口窓部を塞ぎつつ胴体に対して扉を連結する工程と、
切断された電柱の柱本体部を撤去する際には軸部材を外して胴部の胴体の下端部と底部の起立板との連結を解除してから、吊り下げ用のフックを介して胴部を上方に吊り上げ、それによって砂利を胴部の内側から排出する工程と、
を有することを特徴とする電柱建替工法。
【請求項８】
既設の電柱を切断した上で、切断された電柱の柱本体部を近傍に仮置きし、切断された電柱の柱埋設部を撤去し、その撤去箇所に新しい電柱を建て、切断された電柱の柱本体部から新しい電柱に架空線を移設し、切断された電柱の柱本体部を撤去する電柱建替工法において、
請求項５に記載の電柱仮受具を既設の電柱の近傍に搬入する工程と、
扉を下げた状態の電柱仮受具の開口窓部から電柱仮受具の収容空間に砂利を充填する工程と、
切断された電柱の柱本体部を横に移動させながら扉を下げた状態の電柱仮受具の開口窓部から挿入して、砂利の上に載せる工程と、
扉を上げて開口窓部を塞ぎつつ胴体に対して扉を連結する工程と、
電柱仮受具よりも上側において切断された電柱の柱本体部に対してその周りを囲むようにしてバンドを固定すると共に、バンドと電柱仮受具の取付板との間にプレートを上下方向に架け渡し、ボルト・ナットでプレートをバンドと取付板に対して固定する工程とを有することを特徴とする電柱建替工法。
【発明の詳細な説明】
【技術分野】
【０００１】
本発明は、電柱を建替える際に用いる電柱仮受具、及びその電柱仮受具を用いる電柱建替工法に関する。
【背景技術】
【０００２】
電柱を建替える場合に、既設の電柱と同じ位置に新しい電柱を建替えなければならないことがある。このような場合に従来は、以下の手順が用いられていた。
（１）既設の電柱を下部（地上から約４０〜５０cmの高さ位置）で切断する。切断によって、電柱（旧柱）は、柱本体部（電線を架設する上側部分）と、柱埋設部（地面に埋設される部分を含む下側部分）とに分割される。
（２）電柱の近傍に切断高さと同等の高さになるように何本もの角材（木材）を敷設して、仮の土台を作る。
（３）旧柱の柱本体部を仮の土台の上に載せ、立てたまま支持する。
（４）旧柱の柱埋設部を撤去し、新しい電柱（新柱）を建てる。
（５）新柱と旧柱の柱本体部を仮支持具で連結し、架空線を旧柱から新柱へ移設する。
（６）仮支持具を取外し、旧柱の柱本体部を撤去する。
【発明の概要】
【発明が解決しようとする課題】
【０００３】
上記した手順の（２）において、角材を敷設して土台を作る際に、土台を旧柱の埋設部と同じ高さに調整することが困難であった。なぜなら、角材の高さ（厚み）は一定であり、高さを調整することが難しいからである。
【０００４】
因みに、電柱が電線を支持する高さ（電線等の地上高離隔）は、最低地上高Ｘｍという具合に規定されているため、切断された旧柱の柱本体部においても電線等の地上高離隔は、最低地上高Ｘｍを守らなければならない。そして、これから切断しようとする既設の電柱において電線等の地上高離隔がその最低地上高Ｘｍの近傍である場合も想定される。従って、仮の土台の上に切断された電柱の柱本体部を載せる際には、できる限り切断前と同じ高さ位置で支持できることが望ましい。
【０００５】
また、上記した手順の（３）において、旧柱の柱本体部を仮の土台の上に載せた状態は、むき出しになっている。このため、いかにも不安定な支持であるかのような印象を与える。更に、旧柱は、木材から構成された土台の上に単に載っているだけであり、旧柱と土台との拘束がなされておらず、より安定な状態で支持することが望まれる。
【０００６】
本発明は、上記実情を考慮したもので、新しい電柱を既設の電柱と同じ位置に建替える場合に、切断された電柱の柱本体部を一時的に支持する際に、少なくとも切断前と同じ高さ位置で支持できるようにすることを目的とする。
【課題を解決するための手段】
【０００７】
本発明の電柱仮受具は、筒状の胴部と、胴部の下側開口端を塞ぐ底部とを備え、胴部は、周面の上部に電柱の入口となる開口窓部を有する胴体と、胴体の開口窓部を開閉可能に塞ぐ扉とを備え、開口窓部よりも下側において胴部の内側には砂利を収容可能な収容空間が形成されることを特徴とする。
【０００８】
また、扉を開閉する構造は問わないが、次のようにすることが設置スペースをできるだけ狭くする上で、望ましい。
すなわち、扉は、胴体の外側に配置されると共に、胴体に対して昇降可能に設けられていることである。
【０００９】
更に、胴部に対して底部は着脱不能に固定されている構造であっても良いが、次のようにすることが作業性を向上する上で望ましい。
すなわち、胴部に対して底部を着脱可能に設けてあることである。
【００１０】
また、作業性を一段と向上するには次のようにすることが望ましい。
すなわち、胴部は、胴体に吊り上げ用のフックを備え、底部は、底板と底板の外周に沿って起立する起立板とを備え、起立板は、胴体の下端部に対して軸部材で連結可能に設けられていることである。
【００１１】
更に、切断された電柱の柱本体部と電柱仮受具との連結を強固にするには、次のようにすることが望ましい。
すなわち、胴体は、抜穴が形成された取付板を有し、取付板にはボルト・ナットが固定可能であることである。
【００１２】
また、前記した電柱仮受具を用いる本発明の電柱建替工法は、既設の電柱を切断した上で、切断された電柱の柱本体部を近傍に仮置きし、切断された電柱の柱埋設部を撤去し、その撤去箇所に新しい電柱を建て、切断された電柱の柱本体部から新しい電柱に架空線を移設し、切断された柱本体部を撤去する電柱建替工法を前提とする。
【００１３】
そして、本発明の電柱建替工法は、前記した電柱仮受具を既設の電柱の近傍に搬入する工程と、扉を下げた状態の電柱仮受具の開口窓部から電柱仮受具の収容空間に砂利を充填する工程と、切断された既設の電柱の柱本体部を横に移動させながら扉を下げた状態の電柱仮受具の開口窓部から挿入して、砂利の上に載せる工程と、扉を上げて開口窓部を塞ぎつつ胴体に対して扉を連結する工程とを有することを特徴とする。
【００１４】
また、前記した電柱仮受具のうち、胴体に吊り上げ用のフックを備え、底部の起立板を胴体の下端部に対して軸部材で連結可能に設けられているものの場合には、次のようにすることが望ましい。
すなわち、前記した工程の他に、切断された電柱の柱本体部を撤去する際には軸部材を外して胴部の胴体の下端部と底部の起立板との連結を解除してから、吊り下げ用のフックを介して胴部を上方に吊り上げ、それによって砂利を胴部の内側から排出する工程を有することである。
【００１５】
更に、前記した電柱仮受具のうち、抜穴が形成された取付板を胴体に有するものの場合には、次のようにすることが望ましい。
すなわち、前記した工程の他に、電柱仮受具よりも上側において切断された電柱の柱本体部に対してその周りを囲むようにしてバンドを固定すると共に、バンドと電柱仮受具の取付板との間にプレートを上下方向に架け渡し、ボルト・ナットでプレートをバンドと取付板に対して固定する工程とを有することである。
【発明の効果】
【００１６】
本発明によれば、胴部の内側に収容空間が形成されているので、胴部の内側が詰まっているもの（無空間のもの）に比べれば軽量で搬入し易く、搬入先で砂利を収容すれば電柱仮受具が非常に安定する。また、収容空間が開口窓部よりも下側であるので、扉を開いた状態で収容空間に砂利を充填でき、砂利の充填作業が容易である。更に、扉を開いた状態であれば、開口窓部に対して切断された旧柱の下部を水平方向に移動させるようにして胴部の内側に配置できるので、作業性が良い。しかも、収容空間に入れる砂利の量を調整することで、切断された電柱の高さ（上端）を切断する前の高さと同じにでき、電線等の地上高離隔を切断前と同じ状態に保持できる。そして、扉体を上昇させた状態で保持すれば、旧柱の柱本体部の周囲は、扉体と胴体によって囲まれていることになり、安定して旧柱を支持している印象を与えられる。
【００１７】
また、扉を胴体に対して昇降可能に設けたものであれば、開いた扉は胴体の下側に沿うようになるので、扉を開いた状態であっても全体の設置スペースが狭くて済み、旧柱の柱本体部を開口窓部から挿入して胴部の内側に移動等する際に邪魔にならない。しかも、扉は、胴体の外側に配置されているので、旧柱を内側に収容している場合（胴体の内側に砂利等が収容されている場合）であっても、外側から簡単に操作できる。
【００１８】
更に、胴部に対して底部を着脱可能に設けてあれば、胴部の内側に収容した砂利を撤去する際に、胴部を外すだけで砂利が回収可能となるので、砂利の回収作業が容易となる。
【００１９】
また、底板とその外周に沿って起立する起立板とによって底部を形成していれば、軸部材を外せば胴体の下端部と底部の起立板との連結を解除できるので、胴体のフックを用いて胴部を引き上げるだけで、胴部の内側に収容した砂利が露出するので、砂利の回収作業が一段と容易となる。
【００２０】
更に、抜穴が形成された取付板を胴体に有するものであれば、切断された電柱の柱本体部にバンドを固定し、そのバンドと取付板とをプレートを介してボルト・ナットで緊結することができるので、切断された電柱をより安定して支持できる。
【図面の簡単な説明】
【００２１】
【図１】本発明の電柱仮受具の一例を示す分解斜視図である。
【図２】（ａ）（ｂ）図は、扉が開いた状態を示す正面図、側面図である。
【図３】（ａ）（ｂ）図は扉が閉まった状態を示す正面図、側面図である。
【図４】扉が昇降する構造を示す拡大断面図である。
【図５】（ａ）（ｂ）（ｃ）図は本発明の電柱建替工法の手順を示す説明図である。
【図６】（ａ）（ｂ）（ｃ）図は本発明の電柱建替工法の手順を示す説明図である。
【図７】（ａ）（ｂ）（ｃ）図は本発明の電柱建替工法の手順を示す説明図である。
【発明を実施するための形態】
【００２２】
本発明の電柱仮受具の一例が図１〜図４に示されている。本発明の電柱仮受具１は、金属製であって、筒状の胴部２と、胴部２の下側開口端を塞ぐ底部３と、を備えている。
【００２３】
胴部２は、鉛直方向に貫通する円筒状の胴体２１を主たる構成として有し、胴体２１の周面の上部には開口窓部２２が形成されている。より詳しく言えば、図示の例では、胴体２１の上端面は、平面視すると、略半円状（半円よりも僅かに円孤長が長い円弧状）であって、これに対応して開口窓部２２も略半円状（半円よりも僅かに円弧長が短い円弧状）となっている。また、開口窓部２２は、胴体２１の上端面から下方へ向かって形成されていることから、胴体２１の半径方向だけでなく、上方向にも開口している。この開口窓部２２よりも下側において、胴体２１の内側には円柱状の収容空間２１ｓが形成される。
【００２４】
また、胴部２は、胴体２１の他に、胴体２１の開口窓部２２を開閉可能に塞ぐ扉２３を備えている。図示の例では、扉２３は、略半円状（開口窓部２２よりも僅かに円弧長及び半径が長い円弧状）である。なお、以後の説明において、扉２３及び開口窓部２２の円弧長方向を横幅方向と称する場合がある。
【００２５】
また、扉２３は、胴体２１の半径方向外側に配置され、胴体２１に対して昇降可能に案内されている。具体的には、開口窓部２２の横幅方向における両側部の近傍には、一対のガイドレール２４、２４が胴体２１の外周面に固定されている。各ガイドレール２４は、上下方向に延長し且つ扉２３の幅方向の一側部に向かって開口するものである。図示の例では、各ガイドレール２４は、胴体２１に対して固定する固定部２４ａと、扉２３の幅方向の一側部を半径方向外側から支持するように固定部２４ａから延長する案内部２４ｂとから構成されている。また、これらは金属板を折り曲げることによって形成されており、平面視して略直線状（短い円弧状）の固定部２４ａに対してＶ字状に屈曲する案内部２４ｂが連続する形状となっている。そして、胴体２１の外周側にはガイドレール２４の内側に平面視して三角形状の案内空間が形成され、この案内空間が扉２３の幅方向の一側部に向かって開口している。
【００２６】
このようなガイドレール２４に対し扉２３の幅方向の両端部にはスライダ２３ｂがそれぞれ形成されている。つまり、扉２３は、平面視して円弧方向に延長する扉本体２３ａと、扉本体２３ａの幅方向両端部から斜め外側に屈曲する一対のスライダ２３ｂとから構成されている。このスライダ２３ｂが、Ｖ字状に屈曲する案内部２４ｂの一片（先側の片）２４ｃの内面に沿う状態となっている。従って、扉２３は、その幅方向の両端部に設けられた一対のスライダ２３ｂ、２３ｂが、胴体２１に固定された一対のガイドレール２４、２４に案内される形式で、昇降可能に設けられている。
【００２７】
また、昇降可能な扉２３の下端位置を定めるストッパ２５が胴体２１の下端部には突出して形成されており、最も下降した状態の扉本体２３ａの下端面にストッパ２５が衝突するようになっている。
【００２８】
更に、扉２３を上昇位置で保持するために、抜穴２１ｈが開口窓部２２の周囲近傍において胴体２１に形成されると共に、上昇位置にある扉２３にも同様に抜穴が形成され、両者の抜穴に軸部材５１を挿入することによって、扉２３が位置決めされるようになっている。より詳しく言えば、抜穴２１ｈが開口窓部２２の幅方向両側の近傍において、上下に間隔をおいて胴体２１に形成されると共に、別の抜穴２１ｈが開口窓部２２の下端の近傍に形成されている。一方、上昇させた扉２３にも胴体２１の抜穴２１ｈに対応する箇所に抜穴２３ｈが形成されている。これら胴体２１と扉２３の抜穴２１ｈ、２３ｈ同士を一致させて、軸部材としてのボルト５１を挿入し、ナット（図示省略）で締結することにより、扉２３の上昇位置を保持する。因みに軸部材とは、ボルト、ネジ、ピン等の棒体であって、二部材の抜穴（ネジ孔を含む。）に対して挿入することによって、二部材を位置決めしたり、連結させたりするもののことを言う。
【００２９】
更に、扉２３には昇降作業をする際に用いる一対の取手２６、２６が扉２３の幅方向に間隔をおいて取り付けられている。図示の例では、各取手２６は、コの字状の取手本体部２６ａと、取手本体部２６ａの両端部からコの字の開口を広げる方向へ向かって突出する回転軸部２６ｂとから構成されている。この取手２６の回転軸部２６ｂをその外側から連結板２７で覆うようにして、連結板２７を胴体２１に取り付ける。回転軸部２６ｂは、その周りを囲む胴体２１と連結板２７との間で遊びのある状態となっており、それにより、取手２６も両側の回転軸部２６ｂを中心にして回転可能に保持されている。
【００３０】
また、胴体２１の上端には取付板２８が上方に突出して形成され、取付板２８にはネジ止め用の抜穴２８ａが形成されている。しかも、胴体２１の上端には吊り上げ用のフック２９が固定されている。図示の例では、フック２９は、金属の鉤型（Ｌ字型）の棒であって、フック２９の一端部を取付板２８から離れた位置で胴体２１に溶接等して固定し、他端部を取付板２８に溶接等して固定してある。このようにフック２９の両端部が強固に胴体２１及び取付板２８に固定されていることから、フック２９を介して電柱仮受具１を吊り上げ可能となる。
【００３１】
次に、底部３は、胴体２１の下端部内側よりも僅かに小さな円形の底板３１と、底板３１の外周全周に沿って起立するリング状の起立板３２とを主として構成される。底板３１には水抜き孔３１ａが形成されている。また、起立板３２にはその円周方向に間隔をあけて抜穴３２ａが形成されており、その抜穴３２ａが形成された箇所において起立板３２の内側にはナット３３が溶接等して固定されている。そして、ナット３３の雌ネジ孔３３ａは、起立板３２の抜穴３２ａに連通しており、この抜穴３２ａに対応する位置には胴体２１にも別の抜穴２１ａが形成されている。従って、胴体２１の抜穴２１ａと底部３の起立板３２の抜穴３２ａとを一致させて軸部材としてのボルト５２をナット３３にネジ込むことによって、底部３が胴部２に着脱可能な状態で取り付けられる。
【００３２】
上記した電柱仮受具１を用いた電柱の建替工法は、以下の（１）〜（７）の工程によって行われる。
（１）図５（ａ）に示すように電柱仮受具１を既設の電柱（旧柱）６の近傍に搬入する。このとき、電柱仮受具１の扉２３を胴体２１の開口窓部２２よりも下げた状態に保持し、且つ、胴体２１に対して底部３を軸部材５２で連結しておく。
（２）図５（ｂ）に示すように胴体２１の内側には、開口窓部２２よりも下側に円柱状の収容空間２１ｓが形成されているので、この収容空間２１ｓに砂利を入れる。
（３）図５（ｃ）に示すように旧柱６を上方からクレーンで吊りながら、旧柱６を下部（地上から４０〜５０ｃｍの高さ部分）で切断する。切断された旧柱６の柱本体部（上側部分）６ａを横に移動して、柱本体部６ａの下部を開口窓部２２から挿入し、図６（ａ）に示すように電柱仮受具１の内側に収容された砂利の上に立てる。砂利の上に立てるので、切断された旧柱６の柱本体部６ａの下端面（切断面）が多少傾いていても、安定して支持できる。
（４）図６（ｂ）に示すように電柱仮受具１よりも少し離れた上側において旧柱６に対してその周りを囲むようにして金属製のバンド４１を固定する。また、バンド４１と電柱仮受具１の取付板２８との間に固定用の金属製のプレートとしてのアングルプレート４２を上下方向に架け渡し、ボルト・ナットでアングルプレート４２をバンド４１と取付板２８に対して固定することにより、旧柱６と電柱仮受具１とを強固に緊結し、安全性を高める。その他に、扉２３を上昇させて、胴体２１に対して扉２３を軸部材５１で固定する。この際に取手２６を利用することにより、作業性を向上させることができる。また、扉２３を上昇させて図示しない軸部材により胴体２１に対して位置決めする。
（５）、図６（ｃ）に示すように旧柱６の柱埋設部６ｂを撤去し、撤去によって形成された地面の穴の箇所に新柱７を建てる。また仮支持具４３で新柱７と旧柱６の柱本体部６ａとを複数の高さ位置で固定し、新柱７と旧柱６の柱本体部６ａとを横並びに立設した状態で支持する。そして、旧柱６に取り付けられていた架空線を新柱７に移し変える。
（６）図７（ａ）に示すように仮支持具４３を新柱７と旧柱６から外すと共に、電柱仮受具１からアングルプレート４２を外す。また、図７（ｂ）に示すように電柱仮受具１の扉２３を下げると共に、開口窓部２２から旧柱６の柱本体部６ａを横に移動させて撤去する。
（７）図７（ｃ）に示すように電柱仮受具１から軸部材５２を外して、底部３と胴体２１との連結を解除する。引き続いて、電柱仮受具１の一対のフック２９、２９に吊り上げロープ４４を引っ掛けて上方に吊り上げることにより、砂利が胴体２１から抜け落ちる。以後、砂利を撤去し、底部３を回収する。
【００３３】
本発明は上記実施形態に限定されるものではなく、その趣旨を逸脱しない限り、適宜変更可能である。例えば、胴部２は円筒状に限らず、角筒状等の他形状であっても良く、この場合、底部３も形状を合わせたものとする。また、底部３は、胴部２の胴体２１よりも直径を小さいものとし、底部３の起立板３２が胴体２１の内側に嵌合するような状態の構成となっているが、これに限らず、底部３を胴体よりも直径を大きくし、底部３の起立板３２が胴体２１の外側に嵌合するような状態の構成としても良い。取付板２８は、胴体２１から突出するものに限らず、胴体２１の一部を取付板として用いるものであって良い。
【符号の説明】
【００３４】
１電柱仮受具
２胴部
２１胴体
２１ａ抜穴
２１ｈ抜穴
２１ｓ収容空間
２２開口窓部
２３扉
２３ａ扉本体
２３ｂスライダ
２３ｈ抜穴
２４ガイドレール
２４ａ固定部
２４ｂ案内部
２４ｃ一片
２５ストッパ
２６取手
２６ａ取手本体部
２６ｂ回転軸部
２７連結板
２８取付板
２８ａ抜穴
２９フック
３底部
３１底板
３１ａ水抜き孔
３２起立板
３２ａ抜穴
３３ナット
３３ａ雌ネジ孔
４１バンド
４２アングルプレート
４３仮支持具
４４吊り上げロープ
５１ボルト（軸部材）
５２ボルト（軸部材）
６旧柱
６ａ柱本体部
６ｂ柱埋設部
７新柱
【図１】
2014050200.tif 000003
【図２】
2014050200.tif 000004
【図３】
2014050200.tif 000005
【図４】
2014050200.tif 000006
【図５】
2014050200.tif 000007
【図６】
2014050200.tif 000008
【図７】
2014050200.tif 000009